(57)【要約】 【課題】  缶蓋のラミネートフィルムを予定された整った開口形状に容易に切り裂き開封することが出来ると共に、内容物の噴出を防止することができるフィルム缶蓋の開封具を提供する【解決手段】  缶胴３に缶蓋を巻き締めた缶２における缶蓋を切り裂き開封する開封具１であって、開封具１はフレーム２１とフレーム２１に回転軸心に関して回転可能に支持されているカッター部材２２とを有し、フレーム２１は缶蓋の巻き締め部５に沿って摺動可能であり、カッター部材２２は回転軸心から垂直に延出している操作柄部３７と操作柄部３７上の回転軸心寄りの位置に固定している切刃４２とを有し、切刃４２は回転軸心に関して操作柄部３７と一体に回転して缶蓋に接近して干渉可能な操作位置４４と缶蓋から離隔して干渉しない退避位置４３との間に変位可能であることを特徴とする【選択図】  図１
2005231640.tif 000002
【特許請求の範囲】
【請求項１】
缶胴に缶蓋を巻き締めた缶における前記缶蓋を切り裂き開封する開封具であって、前記開封具はフレームと前記フレームに回転軸心に関して回転可能に支持されているカッター部材とを有し、前記フレームは前記缶蓋の巻き締め部に沿って摺動可能であり、前記カッター部材は回転軸心から垂直に延出している操作柄部と前記操作柄部上の前記回転軸心寄りの位置に固定している切刃とを有し、前記切刃は前記回転軸心に関して前記操作柄部と一体に回転して前記缶蓋に接近して干渉可能な操作位置と前記缶蓋から離隔して干渉しない退避位置との間に変位可能であることを特徴とする缶蓋の開封具。
【請求項２】
前記缶蓋は少なくとも一部分が膜体製の膜蓋であることを特徴とする請求項１記載の缶蓋の開封具。
【請求項３】
前記缶蓋は中央部寄りに開口部を有し外周縁部に巻き締め部を有するめがね蓋と前記めがね蓋の前記開口部を閉じる膜体製の膜蓋を有するフィルム缶蓋であることを特徴とする請求項１記載の缶蓋の開封具。
【請求項４】
前記カッター部材は円弧状の前記操作柄部と前記操作柄部の両端から延出していて前記回転軸上にある回転軸棒と前記操作柄部上の前記両端近傍に固定している前記切刃とを有し、前記フレームには前記回転軸棒を支承する軸受が設けられていることを特徴とする請求項１記載の缶蓋の開封具。
【請求項５】
前記操作柄部上の前記回転軸心から離隔した位置に指をかける操作つまみが設けられていることを特徴とする請求項１記載の缶蓋の開封具。
【請求項６】
前記カッター部材は弧端部が前記回転軸心に達し、弧央部が前記回転軸心から離隔している円弧状をなすことを特徴とする請求項１記載の缶蓋の開封具。
【請求項７】
前記缶は陽圧缶、陰圧缶または無圧缶であることを特徴とする請求項１記載の缶蓋の開封具。
【請求項８】
前記回転軸心は前記缶蓋の中心から外れた位置または前記中心を通る位置にあることを特徴とする請求項１記載の缶蓋の開封具。
【請求項９】
前記フレームと干渉して前記カッター部材の前記回転軸心方向の移動を拘束する軸抜け防止部を前記操作柄部上に設けたことを特徴とする請求項１記載の缶蓋の開封具。
【請求項１０】
前記切刃が操作位置に来たときに前記切刃と当接して前記切刃が前記缶蓋から受ける荷重を受ける刃先荷重受けを前記フレーム上に設けたことを特徴とする請求項１記載の缶蓋の開封具。
【請求項１１】
前記フレームを前記缶蓋を覆うカバーキャップで構成し、前記開封具を前記カバーキャップの前記缶蓋に向かう裏面に支持させてなることを特徴とする請求項１記載の缶蓋の開封具。
【請求項１２】
前記カバーキャップは前記缶蓋を覆い得る天板と前記天板から立ち下がっている短筒状の胴部と、前記胴部の下端に固定して前記缶蓋の巻き締め部に摺動可能に係合する取り付け脚とを有することを特徴とする請求項１記載の缶蓋の開封具。
【発明の詳細な説明】
【技術分野】
【０００１】
この発明は缶を簡易に開封するための開封具に関するものである。
【背景技術】
【０００２】
飲食物等の内容物を充填し保存する容器として缶が使用されている。これらの缶は内容物を収容する缶胴とその缶胴の上端開口部を閉じる蓋体とからなっていて、蓋体はその外周縁部で缶胴の上端に巻き締め固定される。
【０００３】
蓋体は缶胴と同様に金属板製であることが多いが、近来は省資源の要請から蓋体の一部分に金属箔やプラスチックのラミネートフィルムを使用する場合がある。
【０００４】
本件特許出願の出願人は先にフィルム蓋体を提案した（特願２００２−３３２５６９号）。この提案されたフィルム蓋体は、中央部寄りに開口部を有し外周縁部に巻き締め部を有するめがね蓋とそのめがね蓋の中央開口部を気密に閉じるラミネートフィルム製の膜蓋とから成るものである。
【０００５】
缶を開封する場合には缶切り等の刃物で缶蓋を切り裂いて開口させるのであるが、この切り裂きの対象であるラミネートフィルムは柔軟で剛性が小さく、かつ可撓性があるので予定された開口形状に切り裂くのが必ずしも容易ではない。
【０００６】
缶の内部圧力は内容物の種類に応じて陽圧、陰圧または無圧の状態になっており、例えば、内容物がコーヒーの場合は、コーヒー粉から炭酸ガスが発生するためドライアイス等を充填して缶を炭酸ガスで充満させて陽圧化したり、また、他の内容物の場合は、ヘッドスペース内の酸素が内容物に吸収されて内圧が陰圧となる場合があるが、ラミネートフィルムに刃物を当てて切り始めた瞬間に内圧により内容物のコーヒーの粉末の一部が噴出して顔面に吹きかかったり、周囲に散乱するという問題があり、また、缶内が外気圧より低い商品の場合も、急速に外気が流入し、内容物の特に粉末が吹き飛ばされて衣服等を汚損する恐れがある。この傾向は缶蓋が予定された整った開口形状に切り裂くことができない場合に強まることになる。
【０００７】
【特許文献１】特開平７−３３０００９号
【発明の開示】
【発明が解決しようとする課題】
【０００８】
このようなことから、缶蓋のラミネートフィルムを予定された整った開口形状に容易に切り裂き開封することが出来ると共に、内容物の噴出を防止することができるフィルム缶蓋の開封具の開発が望まれている。
【０００９】
この発明は上記の如き事情に鑑みてなされたものであって、缶蓋のラミネートフィルムを予定された整った開口形状に容易に切り裂き開封することが出来ると共に、内容物の噴出を防止することができるフィルム缶蓋の開封具を提供することを目的とするものである。
【課題を解決するための手段】
【００１０】
この目的に対応して、この発明の缶蓋の開封具は缶胴に缶蓋を巻き締めた缶における前記缶蓋を切り裂き開封する開封具であって、前記開封具はフレームと前記フレームに回転軸心に関して回転可能に支持されているカッター部材とを有し、前記フレームは前記缶蓋の巻き締め部に沿って摺動可能であり、前記カッター部材は回転軸心から垂直に延出している操作柄部と前記操作柄部上の前記回転軸心寄りの位置に固定している切刃とを有し、前記切刃は前記回転軸心に関して前記操作柄部と一体に回転して前記缶蓋に接近して干渉可能な操作位置と前記缶蓋から離隔して干渉しない退避位置との間に変位可能であることを特徴としている。
【発明の効果】
【００１１】
この発明の開封具では、切刃を露出させてフィルム缶蓋に突き立てることができるので、フィルム缶蓋の切り裂き開封が容易である。切刃は開封時には操作位置で露出させ、未開封時には退避位置に格納しておくので、不時に切刃がフィルム缶蓋を傷付けることはない。
【００１２】
切刃の操作位置での露出及び退避位置での格納は操作柄部を回転軸心まわりに約１８０°反転させるだけで選択することができるので、切替操作がきわめて容易である。
【００１３】
操作柄部とフレームの間には軸と軸受との係合関係が形成されるので、操作柄部の反転動作、切刃の露出及び格納の状態の切替えがきわめて容易である。その軸と軸受けの係合関係は操作柄部とフレームとの間に材料を薄肉化して可撓性を与えてヒンジを形成することによって代替することもできる。
【００１４】
フレームは缶の巻締部に沿って缶胴と同心状に正しく回転することができるので、この回転に従って切刃は缶蓋を予定された整った開口形状に切り裂くことができる。操作柄部上の回転軸心から最も離れた位置に操作指掛部を設けることによって、操作柄部を小さな力で容易に動かすことができる。その操作指掛部を操作柄部の内側と外側の両方に設けることによって、任意の方向からの操作が可能となり、開封操作が容易になる。
【００１５】
操作柄部が円弧状をなすことによって、フレームの裏面下の空間を有効に利用して、強度が大きく、かつ操作性のよいカッター部材を構成することができる。
【００１６】
操作柄部とフレームとの間に軸抜け防止部を形成することによって、軸抜けを防止し、カッター部材の操作性を向上させることができる。
【００１７】
さらに、切刃を後押しして切刃にかかる荷重を受ける刃先荷重受けをフレームに設けることによって、開封動作中の切刃の姿勢を安定させ、良好な開封動作を実現することができる。
【００１８】
また、フレームとして従来からある缶蓋を覆うカバーキャップを利用するときは、部品点数の増加を抑制しつつ、開封具を実現させることができる。
【発明を実施するための最良の形態】
【００１９】
以下、この発明の詳細をこの発明の一実施態様を示す図面について説明する。
図１において１は開封具であり、缶２に装着された状態が示されている。
【００２０】
缶２は、図２９、３０に示すように、缶胴３の上端にフィルム缶蓋４を巻き締め部５において巻き締め固着したものである。フィルム缶蓋４は外側部分のめがね蓋６と中央部分の膜蓋７とからなっている。
【００２１】
めがね蓋６は環状の金属板製で、内周縁部に巻き締めカール部８を有し、中央部に開口１１を有する。膜蓋７はめがね蓋６の内面に巻き締めカール部８で巻き締められ、または接着してシールされ、またはめがね蓋６と共に巻き締め部５で巻き締めシールされて、めがね蓋６の開口部１１を閉じている。
【００２２】
このフィルム缶蓋４の膜蓋７がこの発明の開封具１による切り裂き開封の対象である。
【００２３】
図１から図５に示すように開封具１はフレーム２１とカッター部材２２とからなっている。フレーム２１とカッター部材２２とは軸受部２３によって回転可能に連結している。
【００２４】
フレーム２１は前述のようにフィルム缶蓋４の巻き締め部５に摺動可能に嵌合して巻き締め部５に沿って摺動可能である。フレーム２１は特に図６から図１０に示すように、フィルム缶蓋４を覆うことができる大きさの天板２４と、この天板２４から立ち下がっている短筒状の胴部２５とを有し、胴部２５の下端には取付脚２６が設けられている。取付脚２６は内面に凸状のアンダーカット２７とその上隣りに溝２８とを間欠的に形成していて、この溝２８に巻き締め部５を納めた状態で缶胴３に摺動可能に嵌合し、アンダーカット２７によって抜け出しを抑制している。この構造によってフレーム２１は缶胴３と同心状に巻き締め部５に沿って摺動可能である。
【００２５】
このフレーム２１の天板２４と胴部２５と取付脚２６とからなる構成をもつものとしては、従来から他の形式の缶においても、缶蓋を覆うために使用されるカバーキャップを使用することができる。
【００２６】
胴部２５の外面には滑り止め用の凸部１２が円周方向に間隔を置いて複数形成されている。また、天板２４の外面にはフレーム２１の回転方向を示す矢印３１が表示されている。
【００２７】
なお、他の実施形態として、図示はしないが、フレーム２１は巻き締め部５の内側と摺動可能としてもよい。
【００２８】
天板２４の内面には軸受部２３の一対の軸受３２が巻き締め部５の中心Ｏを通る中心線３３から外れた直線３６上に設けられている。
【００２９】
軸受３２は、図１０に示すように、左右一対の軸受片３４ａ、３４ｂの間に後述するカッター部材２２の軸棒３５を抱持する構造である。
【００３０】
中心線３３をはさんだ左右の側のうち回転中心３６が位置する側（図７における右側の退避位置４３）の領域において、後述するカッター部材２２の操作柄部３７と当接可能な位置において天板２４から柄受け部３８が延出して設けられている。この柄受け部３８はカッター部材２２の操作柄部３７が後述する退避位置４３に来たときに操作柄部３７と当接して操作柄部３７を安定して保持するものである。また軸受３２よりも中心Ｏ寄りにおいて、ほぼ中心線３３上に刃先荷重受け４１が天板２４から下方に向かって延出している。この刃先荷重受け４１は後述するカッター部材２２の切刃４２がフィルム缶蓋４の膜蓋７を切り裂き開封する操作位置４４にあるときに、切刃４２に上から当接して切刃４２が膜蓋７から受ける刃先荷重を受けるためのものである。
【００３１】
一方、カッター部材２２は、特に図１１から図１３に示すように、ほぼ１８０°円弧状に形成された剛性を有する操作柄部３７を備え、操作柄部３７の両端から軸棒３５が回転中心３６上に外側に延出している。この軸棒３５がフレーム２１の軸受３２に軸支されて操作柄部３７がフレーム２１に回転中心３６に関して回転可能に取り付けられる。操作柄部３７の両端部では下面４７から切刃４２が下方に向かって突出している。
【００３２】
操作柄部３７はその下面４７において退避位置４３内でフレーム２１の柄受け部３８に当接して位置決めされる。
【００３３】
操作柄部３７の切刃４２が形成されている部分の上面４６は操作位置４４において、刃先荷重受け４１に当接して、切刃４２が膜蓋７を切り裂き開封するときに膜蓋７から受ける刃先荷重を受けるときに、操作柄部３７を支える。また操作柄部３７の基端部の上面４６からは軸抜け防止凸部４８が下方に突出しており、この軸抜け防止凸部４８は操作柄部３７が操作位置４４に来たときにフレーム２１の刃先荷重受け４１に当接して軸棒３５が軸受３２から軸抜けすることを抑制する。
【００３４】
操作柄部３７の弧状の中央部の回転中心３６から最も離れた位置の内側または外側に操作指掛部５１が設けられている。
【００３５】
このように構成された開封具１における開封動作は次の通りである。
【００３６】
缶２の保管時や運搬時などの未開封時には、フレーム２１の裏面にカッター部材２２をセットしてフィルム缶蓋４を覆って缶２に装着しておく。この時、カッター部材２２は軸受部２３で軸棒３５が軸受３２に嵌合し、フレーム２１に装着される。この時、カッター部材２２は退避位置４３にあって、操作柄部３７の下面４７が天板２４に対向し、切刃４２は上向きになって天板２４と操作柄部３７の間にあって膜蓋７とは干渉しない位置に退避していて、かつ操作柄部３７は柄受け部３８と当接して位置決めされて天板２４とほぼ平行になっている。
【００３７】
次に缶２の開封時には、開封具１を缶２から外し、図１４に示すように、フレーム２１を裏返して操作柄部３７を矢印５３で示すように１８０°反転させて操作位置４４に置き、切刃４２を出す。すなわち、操作柄部３７の操作指掛部５１を摘んで、操作柄部３７を起こし、かつ回転中心３６回りに１８０°反転させて、操作柄部３７を操作位置４４にもって来る。この状態では図１５から図１７に示すように、操作位置４４の下面４７が下になって、切刃４２は露出して下方に向かって突出する。操作柄部３７の上面４６は上を向いて天板２４の裏面に対向し、切刃４２が形成されている部分の反対側で刃先荷重受け４１に当接する。また、操作柄部３７上の軸抜け防止凸部４８が刃先荷重受け４１の側面に当接して操作柄部３７の軸抜けを防止する。
【００３８】
次にフレーム２１を把持して切刃４２がフィルム缶蓋４に当たるように缶２にかぶせる。フィルム缶蓋４の膜蓋７に切り始めマーク５２が表示されている場合は、その切り始めマーク５２（図２８）に切刃４２が当たるようにかぶせる。
【００３９】
このように開封具１をかぶせてから開封具１をフィルム缶蓋４に向けて手掌で押すとフレーム２１の取付脚２６のアンダーカット２７が缶２の巻き締め部５を乗り越えて巻き締め部５と嵌合する。巻き締め部５は取付脚２６の溝２８に嵌合し、開封具１は巻き締め部５に摺動可能に装着される。この状態では切刃４２は押し下げられてフィルム缶蓋４の膜蓋７に突きささって初期開口が形成されている。缶２からこの初期開口を通して噴き出す場合でも、その噴き出しはフレーム２１の天板２４に遮断される。この状態からフレーム２１を中心Ｏの回りに回転させると、切刃４２は中心Ｏの回りを移動する軌跡に沿って膜蓋７を切り裂き開封する。
【００４０】
図１８から図２６にはこの発明の他の実施態様の開封具１ｂが示されている。この開封具１ｂは第１の実施態様の開封具１とは基本的に等しい構成を採るが、切刃４２の数が１個である点、回転中心３６が中心線３３と一致している点、柄受け部３８が退避位置４３と操作位置４４の両方に配置されている点及びこれらに付随する点で、開封具１とは異なっている。すなわち、切刃４２は円弧状の操作柄部３７の一方の端部の近傍にだけ１個設けられており、軸受３２と軸棒３５の組み合わせで構成される軸受部２３は開封具１ｂの回転中心Ｏを通る中心線３３と一致している。フレーム２１においては操作柄部３７が退避位置４３にあるときも操作位置４４にあるときにも操作柄部３７と当接して操作柄部３７を位置決めするように中心線３３をはさんだ両側に柄受け部３８を設けてある。
【００４１】
このように構成した開封具１ｂにおいては、切刃４２が１個であることによって、フィルム缶蓋４を開封するための荷重が集中し、切り裂き開封が容易になる。
【００４２】
操作柄部３７の回転中心３６が中心線３３と一致している結果として、操作位置４４において露出している切刃４２は中心線３３から外れた位置に来ることになるが、これにより、フレーム２１を回転させる手首の可動範囲を大きくし易くなり、切刃４２による長い距離での切り裂き開封が１度の回転操作で可能になる。
【００４３】
さらに柄受け部３８を退避位置４３だけでなく操作位置４４にも設けたことにより、切り裂き開封の操作中の操作柄部３７及び切刃４２の姿勢を安定させることができる。
【００４４】
図２７及び図２８にはこの発明の他の実施態様の開封具１ｃが示されている。この開封具１ｃは図１から図５に示す開封具１とは異なって、フレーム２１とカッター部材２２とが一体に形成されている。フレーム２１とカッター部材２２とは構成材料を薄肉にして可撓性を持たせたヒンジ部５４によって回転可能に連結されている。ヒンジ部５４は開封具１ｃの中心Ｏを通る中心線３３から外れた回転中心３６上に設けられている。
【００４５】
フレーム２１の上端はフレーム２１とは別体の天板部材２４ｃが高周波シールなどの公知のシール手段によりシールされて閉じられている。天板部材２４ｃはラミネートフィルム、ラミネート紙、透明シートその他のフレーム２１にシール可能な板状体、シート材によって構成されている。
【００４６】
ラミネートフィルム等の外表面には内容物や開封方法などを記載することができる。
【００４７】
中心線３３をはさんだ左右の側のうち回転中心３６が位置する側（図２８における右側の退避位置４３）の領域において、後述するカッター部材２２の操作柄部３７に対向してフレーム２１の胴部２５から放射状に連結片５５が延出して設けられている。この連結片５５は開封具１ｃが未使用のときでカッター部材２２の操作柄部３７が退避位置４３にあるときに操作柄部３７と切り離し可能な小連結部５６によって連結して操作柄部３７を安定して保持するものである。またヒンジ５４に関して対称的に切刃４２の反対側において、刃先荷重受け４１が胴部２５からリブ５７を介して延出している。この刃先荷重受け４１は後述するカッター部材２２の切刃４２がフィルム缶蓋４の膜蓋７を切り裂き開封する操作位置４４にあるときに、切刃４２に上から当接して切刃４２が膜蓋７から受ける刃先荷重を受けるためのものである。また、フレーム２１には操作位置４４にある操作柄部３７の上面と当接する位置（図示の場合は中心線３３に関して連結片５５と線対象の位置）に操作柄受け片５８がフレーム２１の胴部２５から延出している。この操作柄受け片５８は操作柄部３７が操作位置４４にあるときに、操作柄部３７に当接して支承し、開封操作時の操作柄部３７ひいては切刃４２の支持を安定させるものである。
【００４８】
以上の説明から明らかな通り、この発明によれば、缶蓋のラミネートフィルムを予定された整った開口形状に容易に切り裂き開封することが出来ると共に、内容物の噴出を防止することができるフィルム缶蓋の開封具を得ることができる。
【図面の簡単な説明】
【００４９】
【図１】缶に装着した状態の開封具を示す縦断面図。
【図２】開封具の底面図。
【図３】図２におけるIII−III部断面図。
【図４】図２におけるIV−IV部断面図。
【図５】軸受部の拡大縦断面図。
【図６】フレームの平面図。
【図７】フレームの底面図。
【図８】図７におけるIIX−IIX部断面図。
【図９】図７におけるIX−IX部断面図。
【図１０】図７におけるＸ−Ｘ部拡大断面図。
【図１１】カッター部材の平面図。
【図１２】カッター部材の正面図。
【図１３】カッター部材の側面図。
【図１４】カッター部材を回転させる途中の状態を示す開封具の縦断面説明図。
【図１５】カッター部材を操作位置に反転させた状態のフレームを示す図で（ａ）は平面図、（ｂ）は（ａ）におけるｂ−ｂ部断面図。
【図１６】カッター部材を操作位置に反転させて中心回りに９０°回転させた状態のフレームを示す図で、（ａ）は平面図、（ｂ）は（ａ）におけるｂ−ｂ部断面図。
【図１７】切刃がフィルム缶蓋を開封した状態の開封具を示す図で、（ａ）は底面図、（ｂ）は（ａ）におけるｂ−ｂ部断面図。
【図１８】他の開封具の平面図。
【図１９】他の開封具の操作柄部が退避位置にある状態の底面図。
【図２０】他の開封具の操作柄部が退避位置にある状態の縦断面図。
【図２１】他の開封具の操作柄部が操作位置にある状態の底面図。
【図２２】他の開封具の操作柄部が操作位置にある状態の縦断面図。
【図２３】他の操作柄部の正面図。
【図２４】他の操作柄部の左側面図。
【図２５】他の操作柄部の平面図。
【図２６】他の操作柄部の右側面図。
【図２７】他の開封具の操作柄部が退避位置にある状態の縦断面図。
【図２８】他の開封具の操作柄部が退避位置にある状態の底面図。
【図２９】缶の縦断面図。
【図３０】缶の平面図。
【符号の説明】
【００５０】
１、１ｂ、１ｃ  開封具
２              缶
３              缶胴
４              フィルム缶蓋
５              巻き締め部
６              めがね蓋
７              膜蓋
８              巻き締めカール部
１１            開口部
１２            滑り止め用の凸部
２１            フレーム
２２            カッター部材
２３            軸受部
２４            天板
２４ｃ          天板部材
２５            胴部
２６            取付脚
２７            アンダーカット
２８            溝
３１            矢印
３２            軸受
３３            中心線
３４ａ、３４ｂ  軸受片
３５            軸棒
３６            回転中心
３７            操作柄部
３８            柄受け部
４１            刃先荷重受け
４２            切刃
４３            退避位置
４４            操作位置
４６            上面
４７            下面
４８            軸抜け防止凸部
５１            操作指掛部
５２            切り始めマーク
５３            矢印印
５４            ヒンジ部
５５            連結片
５６            小連結部
５７            リブ
５８            操作柄受け片
Ｏ              中心
【図１】
2005231640.tif 000003
【図２】
2005231640.tif 000004
【図３】
2005231640.tif 000005
【図４】
2005231640.tif 000006
【図５】
2005231640.tif 000007
【図６】
2005231640.tif 000008
【図７】
2005231640.tif 000009
【図８】
2005231640.tif 000010
【図９】
2005231640.tif 000011
【図１０】
2005231640.tif 000012
【図１１】
2005231640.tif 000013
【図１２】
2005231640.tif 000014
【図１３】
2005231640.tif 000015
【図１４】
2005231640.tif 000016
【図１５】
2005231640.tif 000017
【図１６】
2005231640.tif 000018
【図１７】
2005231640.tif 000019
【図１８】
2005231640.tif 000020
【図１９】
2005231640.tif 000021
【図２０】
2005231640.tif 000022
【図２１】
2005231640.tif 000023
【図２２】
2005231640.tif 000024
【図２３】
2005231640.tif 000025
【図２４】
2005231640.tif 000026
【図２５】
2005231640.tif 000027
【図２６】
2005231640.tif 000028
【図２７】
2005231640.tif 000029
【図２８】
2005231640.tif 000030
【図２９】
2005231640.tif 000031
【図３０】
2005231640.tif 000032